(57)【要約】【課題】本考案は、ワイシャツ等のシャツの襟の襟元を襟折目に沿って折った状態を保持することができる襟元折目形状保持ハンガーを提供する。【解決手段】襟元折目形状保持ハンガー１０のハンガー本体１１には襟元折目形状保持体アーム１８が取り付けられている。この襟元折目形状保持体アーム１８の先端部には正面視略Ｖ字状の襟元折目形状保持体２０が設けられている。この襟元折目形状保持体２０は第１襟元折目形状保持片２２と第２襟元折目形状保持片２４から構成されている。この第１襟元折目形状保持片２２には直線状の第１襟元当接辺２２Ａが形成され、第２襟元折目形状保持片２４にも直線状の第２襟元当接辺２４Ａが形成されている。【選択図】図１
0003118418.tif 000002
【実用新案登録請求の範囲】
【請求項１】
ハンガー本体と、このハンガー本体に垂下された襟元折目形状保持体アームと、この襟元折目形状保持体アームに設けられると共にシャツの襟の内側に差し込まれる第１襟元折目形状保持片と第２襟元折目形状保持片とから構成された略Ｖ字状の襟元折目形状保持体と、を有してなることを特徴とする襟元折目形状保持ハンガー。
【請求項２】
ハンガー本体と、このハンガー本体に垂下された襟元折目形状保持体アームと、この襟元折目形状保持体アームに設けられると共にシャツの襟の内側に差し込まれる第１襟元折目形状保持片と第２襟元折目形状保持片とから構成された略Ｖ字状の襟元折目形状保持体と、前記第１襟元折目形状保持片に形成されて第１襟元折目形状保持片を襟の内側に差し込むと襟元の襟折目に当接する第１襟元当接辺と、前記第２襟元折目形状保持片に形成されて第２襟元折目形状保持片を襟の内側に差し込むと襟元の襟折目に当接する第２襟元当接辺と、を有してなることを特徴とする襟元折目形状保持ハンガー。
【請求項３】
ハンガー本体と、このハンガー本体に垂下された襟元折目形状保持体アームと、この襟元折目形状保持体アームに設けられると共にシャツの襟の内側に差し込まれる第１襟元折目形状保持片と第２襟元折目形状保持片とから構成された略Ｖ字状の襟元折目形状保持体と、前記第１襟元折目形状保持片に形成されて第１襟元折目形状保持片を襟の内側に差し込むと襟元の襟折目に当接する第１襟元当接辺と、前記第１襟元折目形状保持片の先端部に形成された第１差込舌部と、前記第２襟元折目形状保持片に形成されて第２襟元折目形状保持片を襟の内側に差し込むと襟元の襟折目に当接する第２襟元当接辺と、前記第２襟元折目形状保持片の先端部に形成された第２差込舌部と、を有してなることを特徴とする襟元折目形状保持ハンガー。
【請求項４】
前記襟元折目形状保持体を上下方向に移動調節可能にしたことを特徴とする請求項１、請求項２、請求項３記載の襟元折目形状保持ハンガー。
【考案の詳細な説明】
【技術分野】
【０００１】
本考案は、主にクリーニング店等が客にクリーニングしたワイシャツ等の商品を納品する場合に使用されるハンガーであって、詳しくはワイシャツ等のシャツの襟の襟元の折目形状を保持して掛けることができる襟元折目形状保持ハンガーに関する。
【背景技術】
【０００２】
近年、クリーニング店が客のワイシャツをクリーニングして客に納品する場合はクリーニングしたワイシャツを折り畳んだ状態にしてハンガーに掛けて納品する場合が多くなっている。
ところで、図９に示すように従来のハンガー１にクリーニングしたワイシャツ２を折り畳んだ状態で掛けた場合、ワイシャツ２の襟３の襟元（襟の下部付近）３Ａが襟折目４に沿って折れていない場合があり、このため納品するワイシャツ２の襟元３Ａの見栄えが悪くなり、客からクレームをつけられる場合がある。
そこで、ワイシャツ２の襟３の襟元３Ａが襟折目４に沿って折られた状態でワイシャツ２を納品できるようにするためにハンガー１と別途に製造された紙製の襟元折目形状保持紙（図示せず）をワイシャツ２の襟３の内側に差し込んで、襟元３Ａが襟折目４に沿って折られた状態にして納品している。
しかし、これではワイシャツ２を掛けるハンガー１と別途に前記襟元折目形状保持紙を用意する必要があると共にハンガー１にワイシャツ２を掛ける作業と別に前記襟元折目形状保持紙をワイシャツ２の襟３の内側に差し込む作業が必要になり、ハンガー掛け作業が煩雑になるという不具合がある。
【考案の開示】
【考案が解決しようとする課題】
【０００３】
本考案は、上記事実に鑑みなされたものでありワイシャツ等のシャツの襟の襟元を襟折目に沿って折った状態を保持して納品することができる襟元折目形状保持ハンガーを提供するものである。
【課題を解決するための手段】
【０００４】
請求項１の考案は、ハンガー本体と、このハンガー本体に垂下された襟元折目形状保持体アームと、この襟元折目形状保持体アームに設けられると共にシャツの襟の内側に差し込まれる第１襟元折目形状保持片と第２襟元折目形状保持片とから構成された略Ｖ字状の襟元折目形状保持体と、を有してなることを特徴としている。
請求項２の考案は、ハンガー本体と、このハンガー本体に垂下された襟元折目形状保持体アームと、この襟元折目形状保持体アームに設けられると共にシャツの襟の内側に差し込まれる第１襟元折目形状保持片と第２襟元折目形状保持片とから構成された略Ｖ字状の襟元折目形状保持体と、前記第１襟元折目形状保持片に形成されて第１襟元折目形状保持片を襟の内側に差し込むと襟元の襟折目に当接する第１襟元当接辺と、前記第２襟元折目形状保持片に形成されて第２襟元折目形状保持片を襟の内側に差し込むと襟元の襟折目に当接する第２襟元当接辺と、を有してなることを特徴としている。を有してなることを特徴としている。
請求項３の考案は、ハンガー本体と、このハンガー本体に垂下された襟元折目形状保持体アームと、この襟元折目形状保持体アームに設けられると共にシャツの襟の内側に差し込まれる第１襟元折目形状保持片と第２襟元折目形状保持片とから構成された略Ｖ字状の襟元折目形状保持体と、前記第１襟元折目形状保持片に形成されて第１襟元折目形状保持片を襟の内側に差し込むと襟元の襟折目に当接する第１襟元当接辺と、前記第１襟元折目形状保持片の先端部に形成された第１差込舌部と、前記第２襟元折目形状保持片に形成されて第２襟元折目形状保持片を襟の内側に差し込むと襟元の襟折目に当接する第２襟元当接辺と、前記第２襟元折目形状保持片の先端部に形成された第２差込舌部と、を有してなることを特徴としている。
請求項４の考案は、前記襟元折目形状保持体を上下方向に移動調節可能にしたことを特徴としている。
【考案の効果】
【０００５】
本考案は、ワイシャツ等のシャツの襟の襟元を折目に沿って折目通りに折り曲げた状態を保持して掛けることができるという優れた効果を有する。
また、本考案は、襟元折目形状保持体を上下方向に移動調節することができるので、襟の大きさ等に関係なく襟の襟元を折目に沿って折目通りに折り曲げた状態を保持して掛けることができるという優れた効果を有する。
【考案を実施するための最良の形態】
【０００６】
考案を実施するために最良の形態の例として以下のような実施例を示す。
【実施例１】
【０００７】
図１及び図２には本考案の襟元折目形状保持ハンガーの第１実施例が示されている。
図１に示されるように、この襟元折目形状保持ハンガー１０のハンガー本体１１は合成樹脂材で一体形成されている。
このハンガー本体１１の中央上部にはハンガー本体１１を構成する鉤状のフック部１２が上方に向って突設形成されている。このフック部１２の下部にはハンガー本体１１を構成する台形状の襟受部１４が連続形成されている。また、この襟受部１４の下部にはハンガー本体１１を構成する肩掛け部１６，１６がそれぞれ左右方向に向って連続形成されている。
前記襟受部１４の正面側中央には帯状の襟元折目形状保持体アーム１８が取り付けられて下方に向って垂下されている。この襟元折目形状保持体アーム１８の先端部には正面視略Ｖ字状に形成された襟元折目形状保持体２０が設けられている。
図１及び図２に示されるように、この襟元折目形状保持体２０はワイシャツ２の襟３の内側に差し込まれる肉厚が薄くてフラットな第１襟元折目形状保持片２２と第２襟元折目形状保持片２４から構成されている。
この第１襟元折目形状保持片２２にはワイシャツ２の襟元３Ａの襟折目４に当接する直線状の第１襟元当接辺２２Ａが形成されている。また、第２襟元折目形状保持片２４にもワイシャツ２の襟元３Ａの襟折目４に当接する直線状の第２襟元当接辺２４Ａが形成されている。
さらに、前記第１襟元折目形状保持片２２の先端部には第１襟元折目形状保持片２２を襟３の内側に差し込み易くするために略三角形状の第１差込舌部２２Ｂが形成され、前記第２襟元折目形状保持片２４の先端部にも第２襟元折目形状保持片２４を襟３の内側に差し込み易くするために略三角形状の第２差込舌部２４Ｂが形成されている。
【０００８】
次に、第１実施例の襟元折目形状保持ハンガー１０の作用について説明する。
図２に示されるように、この襟元折目形状保持ハンガー１０を使用する場合は、クリーニングしたワイシャツ２の中にハンガー本体１１の襟受部１４をワイシャツ２の襟３に対応させると共に肩掛け部１６，１６ワイシャツ２の肩部に対応させる。
また、ワイシャツ２の左右の襟３の内側に第１襟元折目形状保持片２２と第２襟元折目形状保持片２４を差し込んで、第１襟元折目形状保持片２２の第１襟元当接辺２２Ａと第２襟元折目形状保持片２４の第２襟元当接辺２４Ａをそれぞれ襟元３Ａの襟折目４に対応させて密着当接する。
従って、ワイシャツ２の襟元３Ａは前記襟元折目形状保持体２０の第１襟元折目形状保持片２２と第２襟元折目形状保持片２４によって強制的に襟折目４に沿って折られる。
この結果、本考案の襟元折目形状保持ハンガー１０を使用すればワイシャツ２の襟３の襟元３Ａは襟折目４に沿った状態で折られるので、襟元３Ａの見栄えがよい状態でクリーニングしたワイシャツ２を納品することができる。
また、本考案の襟元折目形状保持ハンガー１０には襟元折目形状保持体２０が一体形成されているので、襟元折目形状保持体２０を別途に用意する必要がないので経済的である。
しかも、本考案の襟元折目形状保持ハンガー１０はワイシャツ２を襟元折目形状保持ハンガー１０に掛けるときに一緒に襟元折目形状保持体２０を襟３の内側に差し込むことができるので、ワイシャツ２を襟元折目形状保持ハンガー１０に掛ける作業が煩雑になることはない。
【実施例２】
【０００９】
図３〜図５には本考案の襟元折目形状保持ハンガーの第２実施例が示されている。なお、第１実施例の襟元折目形状保持ハンガー１０と同一の構造は同一の符号を用いて、その説明は省略する。
図３及び図５に示されるように、第２実施例の襟元折目形状保持ハンガー３０のハンガー本体１１には襟元折目形状保持体アーム３２が取り付けられている。この襟元折目形状保持体アーム３２の中間部はハンガー本体１１と反対側（図３紙面手前側）に向って少し隆起するように形成されている。また、前記襟元折目形状保持体アーム３２の先端部には正面視略Ｖ字状に形成された襟元折目形状保持体３４が設けられている。この襟元折目形状保持体３４は第１襟元折目形状保持片３６と第２襟元折目形状保持片３８とから構成されている。
図３及び図４に示されるように、この第１襟元折目形状保持片３６は基端部に形成された折曲線３６Ａによってハンガー本体１１側に向って折り曲げられている（図４には第１襟元折目形状保持片３６は表れない）。また、第２襟元折目形状保持片３８も基端部に形成された折曲線３８Ａによってハンガー本体１１側に向って折り曲げられている。
図５に示されるように、この第１襟元折目形状保持片３６にはワイシャツ２の襟元３Ａの襟折目４に当接する直線状の第１襟元当接辺３６Ｂが形成されている。また、第２襟元折目形状保持片３８にもワイシャツ２の襟元３Ａの襟折目４に当接する直線状の第２襟元当接辺３８Ｂが形成されている。
さらに、前記第１襟元折目形状保持片３６の先端部には先端が鋭角の第１差込舌部３６Ｃが形成され、前記第２襟元折目形状保持片３８の先端部には先端が鋭角の第２差込舌部３８Ｃが形成されている。
従って、前記襟元折目形状保持ハンガー３０の第１襟元折目形状保持片３６は折曲線３６Ａによってハンガー本体１１側に向って折り曲げられ、第２襟元折目形状保持片３８も折曲線３８Ａによってハンガー本体１１側に向って折り曲げられているので、高く盛り上がった襟元３Ａのワイシャツ２でも本考案の襟元折目形状保持ハンガー３０を使用すればワイシャツ２の襟３の襟元３Ａは襟折目４に沿った状態で折り曲げることができる。
なお、他の構成、作用、効果は第１実施例の襟元折目形状保持ハンガー１０と同一であるため、説明は省略する。
【実施例３】
【００１０】
図６には本考案の襟元折目形状保持ハンガーの第３実施例が示されている。なお、第１実施例の襟元折目形状保持ハンガー１０と同一の構造は同一の符号を用いて、その説明は省略する。
図６に示されるように、第３実施例の襟元折目形状保持ハンガー４０の襟受部１４の中央には襟元折目形状保持体アーム４２が垂下して取り付けられている。この襟元折目形状保持体アーム４２の中央部には上下方向に向って上下移動調節手段を構成するスライド用スリット４４が形成されている。
また、前記襟元折目形状保持体２０には前記スライド用スリット４４と共に上下移動調節手段を構成するスライド用突起４６が突設されている。このスライド用突起４６は前記スライド用スリット４４にスライド可能に嵌入されている。このため、前記襟元折目形状保持体２０は矢印方向に移動可能となっている。
従って、この襟元折目形状保持ハンガー４０においてはワイシャツ２の襟３が小さい場合は襟元折目形状保持体２０を上方にスライドすることにより、襟３が小さくても襟元折目形状保持体２０の第１襟元折目形状保持片２２、第２襟元折目形状保持片２４を襟３の内側に差し込んで第１襟元当接辺２２Ａと第２襟元折目形状保持片２４の第２襟元当接辺２４Ａをそれぞれ襟元３Ａの襟折目４に対応させて密着当接することができる。
また、ワイシャツ２の襟３が大きい場合は襟元折目形状保持体２０を下方にスライドすることにより、襟３が大きくても襟元折目形状保持体２０の第１襟元折目形状保持片２２、第２襟元折目形状保持片２４を襟３の内側に差し込んで第１襟元当接辺２２Ａと第２襟元折目形状保持片２４の第２襟元当接辺２４Ａをそれぞれ襟元３Ａの襟折目４に対応させて密着当接することができる。
従って、この襟元折目形状保持ハンガー４０においては襟元折目形状保持体２０を上下方向にスライドさせることができるのでワイシャツ２の襟３の大きさに関係なく襟折目４に沿って襟元３Ａを折った状態でワイシャツ２を襟元折目形状保持ハンガー４０に掛ける事ができる。
なお、他の構成、作用、効果は第１実施例の襟元折目形状保持ハンガー１０と同一であるため、説明は省略する。
【００１１】
なお、第３実施例では上下移動調節手段として襟元折目形状保持体アーム４２にスライド用スリット４４を形成すると共に襟元折目形状保持体２０にスライド用突起４６を形成したが、襟元折目形状保持体２０の上下移動調節手段はこれに限定されるものでないことは勿論である。
例えば、図７に示されるように襟元折目形状保持ハンガー１０のハンガー本体１１の中央に上下調節手段としてのループ部５０を形成して、このループ部５０に襟元折目形状保持体２０を取り付けた襟元折目形状保持体アーム５２をスライド可能に挿入してもよい。
また、図８に示されるように襟元折目形状保持ハンガー１０のハンガー本体１１の中央に垂下された襟元折目形状保持体アーム５４に上下移動調節手段を構成する嵌入孔５６を複数穿設し、襟元折目形状保持体２０に上下移動調節手段を構成する嵌入突起５８を設けて、嵌入突起５８を最適な嵌入孔５６に嵌入することにより襟元折目形状保持体２０を上下方向に移動調節するようにしてもよい。
【００１２】
なお、前記実施例では襟元折目形状保持ハンガー１０，３０，４０はクリーニング店が客にクリーニングしたワイシャツ２を納品する時に使用する場合を例にして説明したが、一般家庭等において襟元折目形状保持ハンガー１０，３０，４０を使用してもよいことは勿論である。
また、前記実施例では襟元折目形状保持ハンガー１０，３０，４０はワイシャツ２を掛ける場合を例にして説明したが、ワイシャツ２以外のシャツに使用してもよいことは勿論である。
なお、実施例では前記襟元折目形状保持ハンガー１０，３０，４０を合成樹脂材で一体形成したが、襟元折目形状保持ハンガー１０，３０，４０は合成樹脂材以外の材料で形成してもよいことは勿論である。
【図面の簡単な説明】
【００１３】
【図１】第１実施例の襟元折目形状保持ハンガーの正面図である。
【図２】第１実施例の襟元折目形状保持ハンガーの使用状態を示す概略正面図である。
【図３】第２実施例の襟元折目形状保持ハンガーの正面図である。
【図４】第２実施例の襟元折目形状保持ハンガーの下方斜めから見た斜視図である。
【図５】第２実施例の襟元折目形状保持ハンガーの使用状態を示す概略正面図である。
【図６】第３実施例の襟元折目形状保持ハンガーの正面図である。
【図７】実施例の他の変形例を示す襟元折目形状保持ハンガーの正面図である。
【図８】実施例の他の変形例を示す襟元折目形状保持ハンガーの正面図である。
【図９】従来のハンガーの使用状態を示す概略正面図である。
【符号の説明】
【００１４】
１０    襟元折目形状保持ハンガー
１１    ハンガー本体
１２    フック部
１４    襟受部
１６    肩掛け部
１８    襟元折目形状保持体アーム
２０    襟元折目形状保持体
２２    第１襟元折目形状保持片
２２Ａ  第１襟元当接辺
２４    第２襟元折目形状保持片
２４Ａ  第２襟元当接辺
【図１】
0003118418.tif 000003
【図２】
0003118418.tif 000004
【図３】
0003118418.tif 000005
【図４】
0003118418.tif 000006
【図５】
0003118418.tif 000007
【図６】
0003118418.tif 000008
【図７】
0003118418.tif 000009
【図８】
0003118418.tif 000010
【図９】
0003118418.tif 000011